(57)【要約】【課題】空気調和機の室内ユニットへの取り付けが簡単、かつ、安全に出来る上下風向変更羽根を有する空気調和機を提供すること。【解決手段】電動または手動にて上下の風向を変更できる上下風向変更羽根２を有する空気調和機の室内ユニット１において、室内ユニット１は、上下風向変更羽根２が回転する回転中心となる回転中心軸部５を有し、上下風向変更羽根２は、回転中心軸部５に取り付けるための引っ掛け部３と、回転中心軸部５が引っ掛け部３に誘うような誘い部４とを有するとともに、誘い部４の軸方向垂直面の形状が略円弧形状とし、引っ掛け部３と誘い部４との間に段差部１１を設けたことにより、回転軸の差し込み方向は１方向となり、上下風向変更羽根２の撓みを少なくし、室内ユニット１へ取り付けることが可能となる。【選択図】図３
2008111600.tif 000002
【特許請求の範囲】
【請求項１】
電動または手動にて上下の風向を変更できる上下風向変更羽根を有する空気調和機の室内ユニットにおいて、前記室内ユニットは、前記上下風向変更羽根が回転する回転中心となる回転中心軸部を有し、前記上下風向変更羽根は、前記回転中心軸部に取り付けるための引っ掛け部と、前記回転中心軸部が前記引っ掛け部に誘うような誘い部とを有するとともに、前記誘い部の軸方向垂直面の形状が略円弧形状とし、前記引っ掛け部と前記誘い部との間に段差部を設けたことを特徴とする空気調和機。
【発明の詳細な説明】
【技術分野】
【０００１】
本発明は、空気調和機の上下風向羽根の取付け構造に関するものである。
【背景技術】
【０００２】
図４は従来の空気調和機の上下への風向きを変更する上下風向変更羽根の斜視図である。従来の上下風向変更羽根は、図４に示すように、長手方向の左右側に回転軸６、７を備えている。また、中央部にも支点軸８を備えているものもある（例えば、特許文献１参照）。
【０００３】
従来の上下風向変更羽根を室内ユニットに取り付ける際には、先ず、上下風向変更羽根の一方を上下風向変更羽根を保持する箇所に差し込み、さらに、上下風向変更羽根を無理に大きく撓ませて、さらに他の一方を上下風向変更羽根を保持する箇所に差し込むため、取り付けにくいものだった。このような課題に対して、上下風向変更羽根を取り付け易くするために簡単な構造（図５）としたものがある。図５は、従来の上下風向変更羽根の取り付け構造の拡大図である。
【特許文献１】特開２００６−１２５７０７号公報
【発明の開示】
【発明が解決しようとする課題】
【０００４】
しかしながら、図５に示すように従来の取り付け構造にしたときに、上下風向変更羽根が長手方向に外力を受けた場合には、容易に外れてしまい、尚且つ、空気調和機の室内ユニットの設置特性上、高所に設置されることが多く、上下風向変更羽根の着脱作業を行う作業者が、取り外す時に勢い余って転倒してしまうという課題があった。
【０００５】
本発明は、前記従来の課題を解決するもので、空気調和機の室内ユニットへの取り付けが簡単、かつ、安全に出来る上下風向変更羽根を有する空気調和機を提供することを目的とする。
【課題を解決するための手段】
【０００６】
前記従来の課題を解決するために、本発明の空気調和機は、電動または手動にて上下の風向を変更できる上下風向変更羽根を有する空気調和機の室内ユニットにおいて、前記室内ユニットは、前記上下風向変更羽根が回転する回転中心となる回転中心軸部を有し、前記上下風向変更羽根は、前記回転中心軸部に取り付けるための引っ掛け部と、前記回転中心軸部が前記引っ掛け部に誘うような誘い部とを有するとともに、前記誘い部の軸方向垂直面の形状が略円弧形状とし、前記引っ掛け部と前記誘い部との間に段差部を設けたことにより、回転軸の差し込み方向は１方向となり、上下風向変更羽根の撓みを少なくし、室内ユニットへ取り付けることが可能となるとともに、引っ掛け部の近傍に誘い部を設けることで、取り付け時に回転中心軸部を引っ掛け部に誘いやすくなり、引っ掛け部と誘い部との間に段差部を設けているので、段差部が回転中心軸部の抵抗となり、回転中心軸部と引っ掛け部とが完全に引っかかり、また外れる瞬間には操作感が作業者によりよく伝わる。
【発明の効果】
【０００７】
本発明は、空気調和機の室内ユニットへの取り付けが簡単、かつ、安全に出来る上下風向変更羽根を有する空気調和機を提供することができる。
【発明を実施するための最良の形態】
【０００８】
第１の発明の空気調和機は、電動または手動にて上下の風向を変更できる上下風向変更羽根を有する空気調和機の室内ユニットにおいて、前記室内ユニットは、前記上下風向変更羽根が回転する回転中心となる回転中心軸部を有し、前記上下風向変更羽根は、前記回転中心軸部に取り付けるための引っ掛け部と、前記回転中心軸部が前記引っ掛け部に誘うような誘い部とを有するとともに、前記誘い部の軸方向垂直面の形状が略円弧形状とし、前記引っ掛け部と前記誘い部との間に段差部を設けたことにより、回転軸の差し込み方向は１方向となり、上下風向変更羽根の撓みを少なくし、室内ユニットへ取り付けることが可能となるとともに、引っ掛け部の近傍に誘い部を設けることで、取り付け時に回転中心軸部を引っ掛け部に誘いやすくなり、引っ掛け部と誘い部との間に段差部を設けているので、段差部が回転中心軸部の抵抗となり、回転中心軸部と引っ掛け部とが完全に引っかかり、また外れる瞬間には操作感が作業者によりよく伝わる。つまり、段差を乗り越えるときの操作感がハッキリと伝わる形状とすることにより、直感的に取付け作業完了を知ることが出来る。また、取外し時も同様の操作感が伝わるため、直感的に取外し作業完了を知ることが出来る。
【０００９】
また、軸引掛け部の開口部延長上に、誘い部の円弧形状を設けることにより、取外し時に軸引掛け部から外れた軸が、誘い部の円弧形状にぶつかる事で、取外し時の衝撃を吸収することが出来る。これにより、作業者が取外し時に勢い余って転倒することも防げる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における上下風向変更羽根を備えた空気調和機の斜視図、図２は、本発明の第１の実施の形態における上下風向変更羽根の斜視図、図３は、上下風向変更羽根の取り付け箇所の要部拡大図を示す。
【００１２】
図１〜図３において、空気調和機の室内ユニット１は、上下風向変更羽根２を有しており、上下風向変更羽根２は、腕部１０を介して室内ユニット１に取り付けられている。上下風向変更羽根２には、引っ掛け部３、誘い部４、段差部１１が設けられており、腕部１０には、回転中心軸部５が設けられている。
【００１３】
誘い部４は、上下風向変更羽根２の軸方向に垂直な平面の形状が、略円弧形状となっており、引っ掛け部３の近傍で、かつ、引っ掛け部３と誘い部４との間に段差部１１が介している。段差部１１によって、引っ掛け部３の略円弧形状と、誘い部４の略円弧形状が接することのない（つまり円弧形状同士が交差することのない）構成となっている。
【００１４】
以上のように構成された空気調和機の上下風向変更羽根について、以下、その動作および作用を説明する。
【００１５】
上下風向変更羽根２を室内ユニット１に取り付ける際には、腕部１０に設けられた回転中心軸部５に誘い部４を沿わして引っ掛け部３に近づける。そして段差部１１と引っ掛け部３を形成する略円弧形状の先端部１２との間に形成される隙間と、回転中心軸部５とを当接させ、作業者が適度な力で回転中心軸部５が引っ掛け部３に嵌るように上下風向変更羽根２をスライドさせて、回転中心軸部５が引っ掛け部３に取り付ける。このように、誘い部４を設けることにより、上下風向変更羽根２を取り付ける際のガイドの役割を果たすことができ、取り付け作業が簡単になる。
【００１６】
また、回転中心軸部５が引っ掛け部３に嵌った後は、段差部１１が抵抗となり、回転中心軸部５が引っ掛け部３から外れようとするのを防止するストッパーの役割を果たし、些
細な力や衝撃では外れにくくなる。このため、取り付け時には、適度な力で回転中心軸部５を引っ掛け部３に嵌め合わせることができるが、取り外し時には、段差部１１があるため外れにくい構造となる。
【００１７】
また、図３（ｂ）に示すように、回転中心軸部５を引っ掛け部３に通すための隙間は、引っ掛け部３を形成する略円弧形状の先端部１２と、段差部１１との間にでき、この隙間寸法が、回転中心軸部５の直径の約８０〜９０％とすることにより、取り付け作業者の適度な操作力で引っ掛け部３が適度に撓んで取り付けることができ、かつ、回転中心軸部５が段差部１１を乗り越える時の操作感がハッキリと伝わり、直感的に取り外し作業が完了したことを知ることができる。
【００１８】
また、図３（ｂ）に示すように、引っ掛け部３の先端部１２と段差部１１で形成される隙間の延長線上に誘い部４を設けることにより、回転中心軸部５を引っ掛け部３から取り外したときには、回転中心軸部５が誘い部４の円弧形状にぶつかることで、取り外し時の衝撃を吸収すると共に、作業者が勢い余って転倒することを防止する。
【産業上の利用可能性】
【００１９】
本発明では、腕部を介して取り付けられた上下風向変更羽根について説明したが、これに限ることはなく、腕部を介さずとも室内ユニットに上下風向変更羽根を取り付ける構造にも適用することができる。
【図面の簡単な説明】
【００２０】
【図１】（ａ）（ｂ）本発明の実施の形態１における空気調和機の斜視図
【図２】本発明の実施の形態１における上下風向変更羽根の斜視図
【図３】（ａ）（ｂ）本発明の実施の形態１における上下風向変更羽根取付け時の要部拡大図
【図４】従来の上下風向羽根の取付け部拡大図
【図５】従来の上下風向羽根の斜視図
【符号の説明】
【００２１】
１  室内ユニット
２  上下風向変更羽根
３  引っ掛け部
４  誘い部
５  回転中心軸部
１０  腕部
１１  段差部
１２  先端部
【図１】
2008111600.tif 000003
【図２】
2008111600.tif 000004
【図３】
2008111600.tif 000005
【図４】
2008111600.tif 000006
【図５】
2008111600.tif 000007